(57)【要約】【課題】記録媒体を撮像した画像データを所定の送信先に容易に送信できるようにする。【解決手段】情報処理装置（１００）は、記録媒体を撮像して画像データを取得する撮像手段（８）と、撮像手段により撮像された画像データに基づく画像の範囲内に存在する識別情報を認識する画像認識手段（１、４２）と、画像認識手段により認識された識別情報の指示内容に応じた送信先に、撮像された画像データを含むメールを送信するメール送信手段（１、４４）と、を備える。【選択図】図２
2014026408.tif 000002
【特許請求の範囲】
【請求項１】
記録媒体を撮像して画像データを取得する撮像手段と、
前記撮像手段により撮像された画像データに基づく画像の範囲内に存在する識別情報を認識する画像認識手段と、
画像認識手段により認識された識別情報の指示内容に応じた送信先に、前記撮像された画像データを含むメールを送信するメール送信手段と、
を備えることを特徴とする情報処理装置。
【請求項２】
前記記録媒体が配置される第１の筐体と、
ヒンジ部により前記第１の筐体と開閉可能に連結され、本体部が設けられた第２の筐体と、
前記第１の筐体と前記第２の筐体とが所定の状態まで閉じられたことを検出する検出手段と、
を備え、
前記撮像手段は、前記本体部の前記第１の筐体に対向する位置に設けられており、前記検出手段により前記第１の筐体と前記第２の筐体とが前記所定の状態まで閉じられたことが検出されたタイミングで前記画像データを取得することを特徴とする請求項１に記載の情報処理装置。
【請求項３】
前記画像認識手段は、前記識別情報が認識された前記画像内に送信先情報を抽出し、
前記メール送信手段は、前記抽出された送信先情報に基づく送信先に前記メールを送信することを特徴とする請求項１または２に記載の情報処理装置。
【請求項４】
前記メール送信手段は、前記認識された識別情報に予め対応付けられている送信先に前記メールを送信することを特徴とする請求項１または２に記載の情報処理装置。
【請求項５】
イベントに関連する日時を含むイベント情報を登録してスケジュール管理を行う管理手段と、前記画像データとイベント情報とを関連付けて記憶する第１記憶手段と、イベント情報とメール送信先アドレスとを対応付けて記憶する第２記憶手段と、をさらに備え、
前記メール送信手段は、送信する画像データに関連付けられたイベント情報に対応付けられたメール送信先に前記メールを送信することを特徴とする請求項１〜４の何れか一項に記載の情報処理装置。
【請求項６】
前記画像認識手段は、前記識別情報が認識された前記画像内に線分で略閉じられた領域を認識し、
前記線分で略閉じられた領域を切り出した送信用画像データを生成する画像編集手段を更に備え、
前記メール送信手段は、前記画像編集手段により生成された送信用画像データを含むメールを送信先に送信することを特徴とする請求項１〜５の何れか一項に記載の情報処理装置。
【請求項７】
前記画像認識手段は、複数の前記識別情報を認識した場合において、各々の前記識別情報に対応する線分で略閉じられた領域を認識し、
前記画像編集手段は、各々の前記線分で略閉じられた領域を前記複数の識別情報に対応して切り出して送信用画像データを生成することを特徴とする請求項６記載の情報処理装置。
【請求項８】
コンピュータを、
記録媒体を撮像して画像データを取得する撮像手段、
前記撮像手段により撮像された画像データに基づく画像の範囲内に存在する識別情報を認識する画像認識手段、
画像認識手段により認識された識別情報の指示内容に応じた送信先に、前記撮像された画像データを含むメールを送信するメール送信手段、
として機能させるためのプログラム。
【発明の詳細な説明】
【技術分野】
【０００１】
この発明は、情報処理装置及びプログラムに関する。
【背景技術】
【０００２】
近年、情報機器の進歩にともなって、電子文書を作成し保存したり、電子メールをしたりすることが通常となっている。電子文書は紙媒体による手書文書に比べて、管理、整理の容易性、検索性、保存性が良いという特徴を有している。
しかしながら、手書文書は、電子文書に比べて、利便性、スピード等において優位性を有しているため、今後も無くなることはないと考えられる。そこで、手書文書をいかに整理し活用するかが課題となっている。
これに対し、会議中に会議の出席者によりメモが書き込まれた紙媒体のメモ情報と会議中に表示された会議資料画像とを関連付けて所定の記憶手段に登録する装置が開示されている（特許文献１）。この装置によれば、会議中に表示された会議資料画像の特定の表示画像とその特定画像が表示されている間に記録媒体に書き込まれたメモ情報の差分撮像画像とを関連付けを行うことができる。
【先行技術文献】
【特許文献】
【０００３】
【特許文献１】特開２０１０−１７６６０３号公報
【発明の概要】
【発明が解決しようとする課題】
【０００４】
しかしながら、手書きメモを所定の送付先に送るためには所定のメールソフトを起動し、画像取込みされた手書きメモを添付ファイルに指定して、更に送信先を指定して送信する必要があり、ユーザの手動の操作という操作負荷をかけてしまうという課題があった。
【０００５】
本発明の課題は、記録媒体を撮像した画像データを所定の送信先に容易に送信できるようにすることである。
【課題を解決するための手段】
【０００６】
本発明の情報処理装置は、
記録媒体を撮像して画像データを取得する撮像手段と、
前記撮像手段により撮像された画像データに基づく画像の範囲内に存在する識別情報を認識する画像認識手段と、
画像認識手段により認識された識別情報の指示内容に応じた送信先に、前記撮像された画像データを含むメールを送信するメール送信手段と、
を備えることを特徴とする。
【発明の効果】
【０００７】
本発明によれば、記録媒体を撮像した画像データを所定の送信先に容易に送信することができる。
【図面の簡単な説明】
【０００８】
【図１】本実施形態に係る情報処理装置の外観斜視図である。
【図２】本実施形態に係る情報処理装置の内部構成を示すブロック図である。
【図３】情報処理装置におけるバインダの開閉状態を示す図である。（Ａ）は、情報処理装置の第１のカバーと第２のカバーとが開いた状態を示す図、（Ｂ）は、第１のカバーの上に第２のカバーが重なり合う状態を示す図である。
【図４】情報処理装置により実行されるコマンドによるメール送信のフローを示す図である。
【図５】メール送信コマンドを示すマークを手書きメモ中に付加した例を示す図である。（Ａ）は、「□のＶ」マークを手書きメモ中に記録した例である。（Ｂ）は、二次元バーコードが印刷された記録媒体に手書きメモを記録した例である
【図６】メールプログラムにて予め登録されている、メール送信コマンドを示すマークと送信先アドレスの対応関係を示す図である。
【図７】スケジューラの表示画面を示す図である。（Ａ）はカレンダ表示の図、（Ｂ）は個々のスケジュール（イベント）を表示する図である。
【図８】スケジューラにおいて第２記憶手段としての記憶部に記憶されているデータ構造を示す図である。
【図９】メール送信コマンドを示すマークに対する領域指定を説明するための図である。
【図１０】変形例に係る情報処理装置がバインダに立て掛けられた状態を示す図である。
【発明を実施するための形態】
【０００９】
以下、本発明の実施の形態を図面に基づいて説明する。
【００１０】
図１は、本実施形態に係る情報処理装置１００の外観斜視図である。また、図２は、本実施形態に係る情報処理装置１００の内部構成を示すブロック図である。
【００１１】
情報処理装置１００は、例えばＡ５サイズの大きさのタブレット型端末装置であり、本体部１２と、筐体としてのバインダ１３と、から構成されている。
本体部１２には、画面表示及びタッチ入力のためのタッチ表示部５、撮像手段としての撮像部８等が設けられている。撮像部８は、タッチ表示部５の外側の部分のうち、ヒンジ部１３ｃによる回転軸から遠い方の長手側の枠の中央部（図１では表面側の左側中央部）に配設されている。
【００１２】
筐体としてのバインダ１３は、第１の筐体としての第１のカバー１３ａと第２の筐体としての第２のカバー１３ｂとがヒンジ部１３ｃを回転軸として開閉可能に連結されて構成されている。第１のカバー１３ａには記録媒体１５が配置され、第２のカバー１３ｂには本体部１２が設けられている。本体部１２、記録媒体１５は、留め具、フック等により、バインダ１３に着脱可能に装着されている。
【００１３】
なお、本実施形態において、記録媒体１５とは、撮像すべき情報が記録されている媒体を示すものであり、情報が記録されている被写体を意味している。記録媒体１５は、ユーザがメモを取る際に使用するノートやレポート用紙、又は、資料が印刷されている用紙、書籍等である。ただし、記録媒体１５は、撮像すべき情報が記録されている媒体であればよく、素材は紙に限定されない。記録媒体１５は、１枚のシート状の用紙であってもよいし、冊子状に綴じられていてもよい。また、記録媒体１５には、情報を電子的に表示可能な電子ペーパーも含まれる。
【００１４】
第１のカバー１３ａ及び第２のカバー１３ｂは、平板長方形状に構成され、ヒンジ部１３ｃにより、本や手帳を開閉するように、開閉可能となっている。図１は、第１のカバー１３ａと第２のカバー１３ｂとのなす角度が１８０°である状態（開いた状態）を図示している。ユーザは、この状態でタッチ表示部５に表示される画面の参照及びタッチ入力を行い、記録媒体１５に文字や図表等を記入する。
【００１５】
ヒンジ部１３ｃには、第１のカバー１３ａと第２のカバー１３ｂとのなす角度を検出する開閉角度センサ１４が設けられている。開閉角度センサ１４は、ヒンジ部１３ｃの軸の回転を検出するロータリーエンコーダや、ホール素子等を用いて開閉状態を検出する磁気センサによって構成されている。ここで開閉角度センサ１４は、検出手段として機能している。
【００１６】
図２に示すように、情報処理装置１００は、機器の全体的な制御を行うＣＰＵ（Central Processing Unit）１と、操作キーを有する操作部６と、ＣＰＵ１に作業用のメモリ空間を提供するＲＡＭ（Random Access Memory）３と、表示パネル５ａにタッチパネル５ｂを積層配設した構造のタッチ表示部５と、ＣＰＵ１が実行する制御プログラムや制御データ等を格納した記憶部４と、無線通信部７と、被写体の光学像を撮像する撮像部８と、現在日時を計時する計時部９、第１のカバー１３ａと第２のカバー１３ｂとのなす角度を検出する開閉角度センサ１４等を備えている。ＣＰＵ１、操作部６、ＲＡＭ３、タッチ表示部５、記憶部４、無線通信部７、撮像部８、計時手段としての計時部９、開閉角度センサ１４は、バス１０を介して接続されている。
【００１７】
ＣＰＵ１は、操作部６やタッチパネル５ｂから入力される操作信号又は無線通信部７により受信される指示信号に応じて情報処理装置１００の各部の処理動作を統括的に制御する。具体的には、ＣＰＵ１は、記憶部４に記憶されている各種処理プログラムを読み出してＲＡＭ３に展開し、当該プログラムとの協働により各種処理を行う。
【００１８】
電源部（二次電池）２は各部に電源を供給する。
【００１９】
記憶部４は、例えば、書換式のＲＯＭ（Read Only Memory）、フラッシュメモリなどを有する構成で、各種データ及び各種プログラムを読み出し及び書き込み可能に記憶する。記憶部４には、スケジューラプログラム４１、ＯＣＲ（Optical Character Recognition）（光学文字認識）プログラム４２、画像管理プログラム４３、タグ付けプログラム４４が記憶されている。なお、記憶部４は、例えば、ＳＤカード、ＩＣカードなど、着脱自在な可搬型メモリ（記録メディア）を含む構成であってもよく、図示しないが、通信機能を介してネットワークに接続されている状態においては所定のサーバ装置側の記憶領域を含むものであってもよい。
【００２０】
タッチ表示部５は、表示パネル５ａにタッチパネル５ｂを積層配設した構造で、表示手段としての表示パネル５ａは、縦横比（例えば、横４：縦３）の異なる画面を有した高精細液晶ディスプレイであり、タッチパネル５ｂは、撮像者の指などでタッチ操作された位置を検知してその座標データを入力するタッチスクリーンを構成するもので、例えば、静電容量方式あるいは抵抗膜方式を採用しているが、その他の方式であってもよい。ここで、タッチパネル５ｂは操作手段として機能している。
【００２１】
操作部６は、図示省略したが、電源をオン／オフさせる電源キーなどの押しボタン式のキーを備え、ＣＰＵ１は、この操作部６から操作キーに対応して出力される入力操作信号に応じた処理を行う。ここで、操作部６は、操作手段として機能している。
【００２２】
無線通信部７は、高速大容量の通信が可能な無線通信モジュールであり、例えば、最寄りの無線ＬＡＮ（Local Area Network）ルータ（図示省略）を介してインターネットに接続可能となっている。
【００２３】
撮像部８は、被写体の光学像を撮像するもので、図示省略したが、光学レンズからの被写体像が撮像素子（ＣＣＤやＣＭＯＳなど）に結像されることにより被写体を高精細に撮像可能なデジタルカメラ部で、例えば、ズームレンズおよび付属するズーム駆動部、合焦駆動部と、ＣＣＤ（Charge Coupled Device）やＣＭＯＳ（Complementary Metal-oxide Semiconductor）等のイメージセンサと、タイミング発生器と、ドライバ等を備え、撮像された光学像を二次元の画像信号に変換する。画像読取機能の動作時に、例えば、フレームレートが秒１５コマ（１５ｆｐｓ）の連続撮像（高速像）が可能となっている。ここで、ＣＰＵ１、撮像部８は撮像手段として機能している。
【００２４】
計時部９は、図示しない発振回路部から入力される信号を計数して、内部時刻等を得る。そして当該内部時刻をＣＰＵ１に出力する。ここで、内部時刻とは、計時部９で計時される現在日時のことをいう。
【００２５】
スケジューラプログラム４１は、時間や日程を管理するためのプログラムである。スケジュール、そのスケジュールの開始・終了時刻、出席者等を入力、編集、表示をすることができるプログラムである。
ここで、スケジュールとしてのイベントおよびイベントに関連する日時、又は／および出席者等を含む情報をイベント情報という。
ここで、ＣＰＵ１、スケジューラプログラム４１、および記憶部４は、スケジューラ（管理手段）として機能している。
【００２６】
ＯＣＲプログラム４２は、画像処理により入力画像を２値化された画像データに認識処理し、予め記憶されたパターンとの照合により文字、符号を特定し、文字・符号データを出力するプログラムである。
ここで、ＣＰＵ１、ＯＣＲプログラム４２は撮像部８により撮像された画像データに基づく画像の範囲内に存在する識別情報を認識する画像認識手段として機能している。
【００２７】
画像管理プログラム４３は、撮像部６で撮像されたメモ画像の画像データを表示・管理等するためのプログラムである。
ここで、ＣＰＵ１、画像管理プログラム４３は送信用画像データを生成する画像編集手段として機能する。
【００２８】
メールプログラム４４は、撮像部６で撮像されたメモ画像を電子メールするためのプログラムである。
ここで、ＣＰＵ１、メールプログラム４４は、メール送信手段として機能している。
【００２９】
次に、本実施形態に係る情報処理装置１００の動作について説明する。図３は、情報処理装置１００におけるバインダ１３の開閉状態を示す図である。図３（Ａ）は、情報処理装置１００の第１のカバー１３ａと第２のカバー１３ｂとが開いた状態を示す図を、図３（Ｂ）は、第１のカバー１３ａの上に第２のカバー１３ｂが重なり合う状態を示す図である。
【００３０】
ユーザは、例えば、バインダ１３を１８０度開いた状態において情報処理装置１００を使用したり、記録媒体１５に図表などを書き入れたりすることができる。また、情報処理１００及び記録媒体１５を使用しないときには、第１のカバー１３ａと第２のカバー１３ｂとを閉じてバインダ１３を完全に閉じる（開閉角度は０度。）ことができる。
【００３１】
図４は、情報処理装置１００により実行されるコマンドによるメール送信のフローを示す図である。以下、情報処理装置１００によるコマンドによるメール送信について図５を参照して説明する。これらの処理は、ＣＰＵ１１と記憶部４に記憶されている各種プログラムとの協働により実行される。
【００３２】
このコマンドによるメール送信が開始される前提として、例えば、情報処理装置１００が起動されている状態で記録媒体１５に手書きメモを記録し、記録した後で情報処理装置１００のバインダ１３を閉じる動作が行われるものとする。コマンドによるメール送信では、撮影に最適な角度として、開閉角度略７０度が設定されている。具体的には、ＣＰＵ１は、開閉角度センサ８によって第１のカバー１３ａと第２のカバー１３ｂとの角度（撮影に最適な角度）として略７０度が検出された際に、撮像部６により生成されたメモ画像を取得することになる。また、撮影に最適な角度（略７０度）に合わせてフォーカス、露出などの撮影条件が設定されている。
【００３３】
コマンドによるメール送信の処理が開始されると、ステップＳ１では、ＣＰＵ１は、開閉角度センサ８によって第１のカバー部１３ａと第２のカバー部１３ｂとの角度（撮影に最適な角度）として略７０度が検出された際に、撮像部６に手書きメモを撮像させる。すなわち、ステップＳ１では、ＣＰＵ１は、情報処理装置が閉じられる動作に連動して撮像部８を制御して記録媒体１５の手書きメモを撮像させ、撮像部８により生成されたメモ画像をＲＡＭ３に格納する。
【００３４】
ステップＳ２では、ＣＰＵ１は、ＯＣＲプログラム４２を制御して、撮像されたメモ画像の範囲内において、メール送信コマンドを示すマークが記録されているか否かを検索する。ここで、メール送信コマンドを示すマークは識別情報として機能している。
【００３５】
図５は、メール送信コマンドを示すマークを手書きメモ中に手書きにて記録した例を示す図である。図５（Ａ）は、「□のＶ」マークを手書きメモ中に記録した例である。図５（Ｂ）は、二次元バーコードが印刷された記録媒体１５に手書きメモを記録した例である。図５（Ａ）の例では、マークの近傍にメールアドレスが手書きにて記録されている例を示している。マークには、メールプログラム４４にて予め送信先アドレスが登録されていてもよい。マークには１つの送信先アドレスが割り当てられていてもよいし、複数の送信先アドレスが１つのマークに対して割り当てられていてもよい。
【００３６】
また、２次元バーコードはメモ用紙に予め印刷された状態であってもよい。手書きメモは、２次元バーコードが印刷された所定形状の用紙に記録することになる。
【００３７】
図６は、メールプログラム４４にて予め登録されている、メール送信コマンドを示すマークと送信先アドレスの対応関係を示す図である。図６に示すように、メール送信コマンドを示すマークが複数用意されており、ユーザはその中から所望のマークを使用してもよい。例えば、メール送信コマンドを示すマークを３個用意し、１個目のマークは「□のＶ１」であり、送信先アドレスとしてＡさんのアドレスが割り当てられており、２個目のマークは「□のＶ２」であり、送信先アドレスとしてＢさんのアドレスが割り当てられており、３個目のマークは「□のＶ３」であり、送信先アドレスとしてＣさんのアドレスが割り当てられているように構成してもよい。一方、これらのマークには、送信先が割り当てられていなくてもよい。
【００３８】
図４に戻り、ステップＳ３では、ＣＰＵ１は、メール送信コマンドを示すマークが記録されていることが発見できたか判断し、発見されたと判断された場合には「ＹＥＳ」へ分岐してステップＳ４に移行する。発見されたと判断されなければ「ＮＯ」へ分岐してコマンドによるメール送信処理を終了する。
【００３９】
ステップＳ４では、ＣＰＵ１は、メール送信コマンドを示すマークの近傍に有効なメールアドレスがあるか否か確認する。有効なアドレスが発見できた場合には、「ＹＥＳ」へ分岐してステップＳ７に移行する。発見できなかった場合には「ＮＯ」へ分岐してステップＳ５に移動する。
【００４０】
ステップＳ５では、ＣＰＵ１は、図６に示すような、予め送信先アドレスが登録されているか確認する。すなわち、予めメール送信コマンドを示すマークに送信先アドレスが割り当てられているかを確認する。登録されている判断された場合には、「ＹＥＳ」へ分岐してステップＳ７に移行する。登録されていると判断されなければ「ＮＯ」へ分岐してステップＳ６に移行する。
【００４１】
ステップＳ６では、ＣＰＵ１は、関連するイベントの出席者のアドレスを取得する。具体的には、先ず、ＣＰＵ１は、現在日時を計時部９から取得する。現在日時とは、ＣＰＵ１がステップＳ６を実行している際の日時であり、実質的に手書きメモが撮像され、メモ画像が取得された際の日時である。
【００４２】
次に、ＣＰＵ１は、手書きメモを撮像した際の現在日時に関連するイベントがあるか否かを、スケジューラを制御して検索する。
図７は、ＣＰＵ１とスケジューラプログラム４１によるスケジューラ表示画面を示す図である。図７（Ａ）はカレンダ表示４１１を示す図、図７（Ｂ）は個々のイベント（スケジュール）表示４１２を示す図である。図７（Ａ）の画面には撮像アイコン５１、登録アイコン５２が表示されている。ユーザは、登録アイコン５２を用いて、図７に示すスケジューラ表示画面から個々のイベントを登録することができる。
【００４３】
図８は、管理手段としてのスケジューラ１、４、４１において第２記憶手段としての記憶部４に記憶されているデータ構造を示す図である。個々のイベント毎に、ＩＤ、イベント名、日時（開始日時、終了日時）、出席者、メールアドレスが登録されている。図８に示すように、個々のイベント情報中に出席者等のメール送信先アドレスを含む様なデータ構造を採用してもよい。また、スケジューラ１、４、４１においては、第２記憶手段中に、メール送信先アドレスを例えば別のアドレス帳として登録し、イベント情報の出席者と対応づけるように構成してもよい。
【００４４】
関連するイベントとは、その現在日時が登録されているイベントの登録時間（イベントの開催時刻と終了予定時刻で指定される）に含まれている場合におけるそのイベントをいう。ただし、たとえば会議等のイベントの開催時間がイベントの予定時間よりも延びてしまった、または早く開始された等の事情発生を考慮して、現在時間またはメモ画像に記録されている日時はイベントの登録時間に対して多少の遅れ・進みを許容している。例えば、現在日時またはメモ画像に記録されている日時より少し遡った登録時間で登録されているイベントがある場合には、そのイベントを関連するイベントと判断する。
【００４５】
図４に戻り、関連するイベントが有る場合には、ＣＰＵ１は、そのメモ画像の画像データとイベント情報とを関連付けて第１記憶手段としての記憶部４に記憶する。
そして、そのイベントに登録されている出席者のアドレスを取得する。
【００４６】
ステップＳ７では、ＣＰＵ１は、メール送信コマンドを示すマークに対する領域指定があるか否かを判断する。メール送信コマンドを示すマークに対する領域指定があると判断されれば「ＹＥＳ」へ分岐してステップＳ８に移行する。メール送信コマンドのマークに対する領域指定がないと判断されれば「ＮＯ」へ分岐してステップＳ９に移行する。
【００４７】
ステップＳ８では、ＣＰＵ１は、画像管理プログラム４３を制御して、指定領域のみを切り出した画像を作成させる。
【００４８】
なお、ステップＳ７、Ｓ８において、複数のメール送信コマンドのマークに対する複数の領域指定を検出した場合、ＣＰＵ１は、画像管理プログラム４３を制御して、複数の指定領域を切り出した画像を作成させる。
図９は、メール送信コマンドを示すマークに対する領域指定を説明するための図である。図９において、ＣＰＵ１は、線で囲まれた閉じられた領域をメール送信コマンドを示すマークに対する領域指定と認識する。線の種類は例えば実線である。領域指定には、ある程度の制約を課すことが認識誤りを防止するために必要である。すなわち、手書きした文字や符号等と重ならないことである。また、実質的に閉じた線であることである。
【００４９】
ステップＳ９では、ＣＰＵ１は、メモ画像全体（ページ全体）を送信画面に設定する。
【００５０】
ステップＳ１０では、ＣＰＵ１は、ステップＳ８またはステップＳ９で指定された画像を添付して所定の送信先アドレスへメール送信する。
ここで、送信先は、ステップＳ３又はステップＳ５又はステップＳ６にて指定された送信先アドレスである。
【００５１】
［変形例］
次に本実施形態の変形例に係る情報処理装置１００Ａについて説明する。なお、下記の説明において、本実施形態に係る情報処理装置１００と同一の構成については同一の符号を付し、詳細な説明は省略する。
【００５２】
図１０は、変形例に係る情報処理装置１００Ａがバインダ１３Ａに立て掛けられた状態を示す図である。情報処理装置１００Ａの前に記録媒体１５が置かれた状態を示す図である。変形例では、記録媒体１５は複数のページからなる冊子伏に構成されており、記録媒体１５のページをめくるタイミングで、撮像部８により記録媒体１５の手書きメモが撮像される。情報処理装置１００Ａの上下端と記録媒体１５の上端とを合わせるように記録媒体１５を置くと、撮像部８の画角及びピントが記録媒体１５に合うように予め設定されている。
【００５３】
情報処理装置１００Ａは、第１の実施の形態に示した情報処理装置１００との比較において、開閉角度センサ２０が不要である点が異なるが、その他の構成については情報処理装置１００と同様であるため、図１を援用し、説明を省略する。以下、変形例に特徴的な構成及び動作について説明する。
【００５４】
変形例に係る情報処理装置１００Ａにおいては、ＣＰＵ１は、記録媒体１５の複数のページを撮像させ、撮像が完了させる。そして、記録媒体１５の最初のページに記録されているメール送信コマンドを示すマークに応じて所定の送信先アドレスにメール送信する。ここで、所定のマークは複数のページの途中又は最後のページに記録されていてもよい。
【００５５】
次に手書きメモの撮像について説明する。まず、ユーザのタッチパネル５ｂからの操作により、撮像モードを開始する旨の指示が行われると、ＣＰＵ１は、撮像部８により動画像データを連続的に取り込み、この動画像データを解析することにより、撮像されている記録媒体１５のページめくり動作を検出する。撮像部８から出力される画像データが変化しつつある間は、記録媒体１５の各ページや、ユーザの指等が移動中であると推測される。ＣＰＵ１は、撮像部８により撮像された動画像データを取り込み続け、画像が静止した場合に、ページめくり動作が行われたと判断する。
ＣＰＵ１は、記録媒体１５のページめくり動作が検出されたタイミングで、撮像部８に撮像を行わせる。ＣＰＵ１１は、撮像部８を制御して、記録媒体１５に記録された手書きメモの撮像を行わせ、撮像部８により生成されたメモ画像（静止画像）をＲＡＭ３に格納する。
【００５６】
次に、ＣＰＵ１は、ユーザのタッチパネル５ｂからの操作により、撮像モードを終了する旨の指示があったか否かを判断する。ＣＰＵ１は、撮像モードを終了する旨の指示がない場合、撮像されている記録媒体１５のページめくり動作の検出処理を継続する。めくり動作が検出されると、ＣＰＵ１は、記録媒体１５に記録された手書きメモの撮像およびメモ画像の画像データのＲＡＭ３への格納を行う。
一方、撮影モードを終了する旨の指示があった場合には記録媒体の撮像処理を終了する。
【００５７】
変形例における、送信先アドレスの取得方法は、実施形態の場合と同様である。
【００５８】
また、例えば、メール送信コマンドを示すマークは２次元バーコードであって、記録媒体１５は、それぞれのページに二次元バーコードが印刷された複数ページがセットになっており、例えば、このページは１枚目、このページは２ページ目、このページは３ページ目、このページは最終ページだから１〜３ページを合体させてここに送れという様に、ページと送信先の指示が図６と同じように登録されており、撮像が完了した際に、複数ページを所定の送信先に送ることもできる。
【００５９】
以上のように、本実施形態に係る情報処理装置１００によれば、記録媒体１５を撮像して手書きメモの画像データを取得する撮像部８と、撮像部８により撮像された画像データに基づく画像の範囲内に存在する識別情報（メール送信コマンドを示すマーク）を認識する画像認識手段１、４２と、画像認識手段１、４２により認識された識別情報の指示内容に応じた送信先に、撮像された画像データを含むメールを送信するメール送信手段１、４４と、を備えている。
したがって、記録媒体の撮像した画像データを所定の送信先に容易に送信することができる。
【００６０】
また、記録媒体１５が配置される第１の筐体としての第１のカバー１３ａと、ヒンジ部１３ｃにより第１のカバー１３ａと開閉可能に連結され、本体部１２が設けられた第２の筐体としての第２のカバー１３ｂと、第１のカバー１３ａと第２のカバー１３ｂとが所定の状態まで閉じられたことを検出する開閉角度センサ１４と、を備え、撮像部８は、本体部１２の第１のカバー１３ａに対向する位置に設けられており、開閉角度センサ１４により第１のカバー１３ａと第２のカバー１３ｂとが所定の状態まで閉じられたことが検出されたタイミングで前記画像データを取得する。これにより、情報処理装置１００のバインダ１３が閉じられるタイミングで手書きメモを撮像し、自動的にメール送信をすることができる。
【００６１】
また、画像認識手段１、４２は、識別情報が認識された画像内に送信先情報を抽出し、メール送信手段１、４４は、抽出された送信先情報に基づく送信先にメールを送信する。
これにより、手書きメモに記録された送信先にメールを送信することができる。
【００６２】
また、メール送信手段１、４４は、認識された識別情報に予め対応付けられている送信先にメールを送信する。これにより、手書きメモに送信先を記録しなくても所定の送信先に送信することができる。
【００６３】
また、イベントに関連する日時を含むイベント情報を登録してスケジュール管理を行う管理手段としてのスケジューラ１、４、４１と、画像データとイベント情報とを関連付けて記憶する第１記憶手段４と、イベント情報とメール送信先アドレスとを対応付けて記憶する第２記憶手段４と、をさらに備え、メール送信手段は、送信する画像データに関連付けられたイベント情報に対応付けられたメール送信先に前記メールを送信する。
これにより、手書きメモのメモ画像に関連するイベントに関連する送信先に、メモ画像を送信することができる。
【００６４】
また、画像認識手段１、４２は、識別情報が認識された画像内に線分で略閉じられた領域を認識し、線分で略閉じられた領域を切り出した送信用画像データを生成する画像編集手段１、４３を更に備え、メール送信手段１、４４は、画像編集手段１、４３により生成された送信用画像データを含むメールを送信先に送信する。
これにより、手書き文書内で指定された、線分で略閉じられた領域内だけの手書きメモの内容を送信することができる。
【００６５】
また、画像認識手段１、４２は、複数の識別情報を認識した場合において、各々の識別情報に対応する線分で略閉じられた領域を認識し、画像編集手段１、４３は、各々の線分で略閉じられた領域を複数の識別情報に対応して切り出して送信用画像データを生成する。これにより、複数の略閉じられた領域内の記録内容をそれぞれ送信することができる。
【００６６】
なお、本発明は、上記実施の形態に限られるものではなく、様々な変更が可能である。例えば、メール送信は決まっていても、アドレス空欄なら、送信するときにアドレス帳が参照され、ユーザが送信先を選ぶように構成されてもよい。
【００６７】
本発明の実施形態を説明したが、本発明の範囲は上述の実施の形態に限定するものではなく、特許請求の範囲に記載された発明とその均等の範囲に含まれる。以下に、本願出願の当初の特許請求の範囲に記載された発明を付記する。
［付記］
＜請求項１＞
記録媒体を撮像して画像データを取得する撮像手段と、
前記撮像手段により撮像された画像データに基づく画像の範囲内に存在する識別情報を認識する画像認識手段と、
画像認識手段により認識された識別情報の指示内容に応じた送信先に、前記撮像された画像データを含むメールを送信するメール送信手段と、
を備えることを特徴とする情報処理装置。
＜請求項２＞
前記記録媒体が配置される第１の筐体と、
ヒンジ部により前記第１の筐体と開閉可能に連結され、本体部が設けられた第２の筐体と、
前記第１の筐体と前記第２の筐体とが所定の状態まで閉じられたことを検出する検出手段と、
を備え、
前記撮像手段は、前記本体部の前記第１の筐体に対向する位置に設けられており、前記検出手段により前記第１の筐体と前記第２の筐体とが前記所定の状態まで閉じられたことが検出されたタイミングで前記画像データを取得することを特徴とする請求項１に記載の情報処理装置。
＜請求項３＞
前記画像認識手段は、前記識別情報が認識された前記画像内に送信先情報を抽出し、
前記メール送信手段は、前記抽出された送信先情報に基づく送信先に前記メールを送信することを特徴とする請求項１または２に記載の情報処理装置。
＜請求項４＞
前記メール送信手段は、前記認識された識別情報に予め対応付けられている送信先に前記メールを送信することを特徴とする請求項１または２に記載の情報処理装置。
＜請求項５＞
イベントに関連する日時を含むイベント情報を登録してスケジュール管理を行う管理手段と、前記画像データとイベント情報とを関連付けて記憶する第１記憶手段と、イベント情報とメール送信先アドレスとを対応付けて記憶する第２記憶手段と、をさらに備え、
前記メール送信手段は、送信する画像データに関連付けられたイベント情報に対応付けられたメール送信先に前記メールを送信することを特徴とする請求項１〜４の何れか一項に記載の情報処理装置。
＜請求項６＞
前記画像認識手段は、前記識別情報が認識された前記画像内に線分で略閉じられた領域を認識し、
前記線分で略閉じられた領域を切り出した送信用画像データを生成する画像編集手段を更に備え、
前記メール送信手段は、前記画像編集手段により生成された送信用画像データを含むメールを送信先に送信することを特徴とする請求項１〜５の何れか一項に記載の情報処理装置。
＜請求項７＞
前記画像認識手段は、複数の前記識別情報を認識した場合において、各々の前記識別情報に対応する線分で略閉じられた領域を認識し、
前記画像編集手段は、各々の前記線分で略閉じられた領域を前記複数の識別情報に対応して切り出して送信用画像データを生成することを特徴とする請求項６記載の情報処理装置。
＜請求項８＞
コンピュータを、
記録媒体を撮像して画像データを取得する撮像手段、
前記撮像手段により撮像された画像データに基づく画像の範囲内に存在する識別情報を認識する画像認識手段、
画像認識手段により認識された識別情報の指示内容に応じた送信先に、前記撮像された画像データを含むメールを送信するメール送信手段、
として機能させるためのプログラム。
【符号の説明】
【００６８】
１００、１００Ａ  情報処理装置
１      ＣＰＵ（撮像手段、画像認識手段、メール送信手段、管理手段、画像編集手段）
２      電源部
３      ＲＡＭ
４      記憶部（第１記憶手段、第２記憶手段、管理手段）
５      タッチ表示部
５ａ    表示パネル（表示手段）
５ｂ    タッチパネル（操作手段）
６      操作部（操作手段）
７      無線通信部
８      撮像部（撮像手段）
９      計時部
１０    バス
１２    情報処理装置本体
１３    バインダ
１３ａ  第１のカバー
１３ｂ  第２のカバー
１３ｃ  ヒンジ部
１４    開閉角度センサ（検出手段）
１５    記録媒体
４１    スケジューラプログラム（管理手段）
４２    ＯＣＲプログラム（画像認識手段）
４３    画像管理プログラム（画像編集手段）
４４    メールプログラム（メール送信手段）
５１    撮像アイコン
５２    登録アイコン
４１１  カレンダ表示
４１２  イベント（スケジュール）表示
【図１】
2014026408.tif 000003
【図２】
2014026408.tif 000004
【図３】
2014026408.tif 000005
【図４】
2014026408.tif 000006
【図５】
2014026408.tif 000007
【図６】
2014026408.tif 000008
【図７】
2014026408.tif 000009
【図８】
2014026408.tif 000010
【図９】
2014026408.tif 000011
【図１０】
2014026408.tif 000012